(57)【要約】    【課題】取り付けが容易で、確実に消火が行えるようにする。    【解決手段】自動消火装置１は、火災による熱を受けて第１感熱部８が作動するとカバー６が開き、レンジ上部及び周囲を覆うスカート状の耐熱シート１５を落下させてレンジ直上に紐１７で吊り下げ保持し、耐熱シート１５の上部中央に配置された噴射ヘッド１３の第２感熱部１４が火災による熱を受けて分解すると、本体２内の薬液タンク９からの消火薬液がフレキシブルチューブ１２を通って噴射ヘッド１３から油火災を起している調理鍋２０に放出される。    【選択図】      図２
2006198229.tif 000002
【特許請求の範囲】
【請求項１】
レンジ台の自動消火装置に於いて、
下方に開口した箱型形状を有する本体と、
前記本体をレンジフードに固定する固定部と、
前記本体の開口部に外側を中心に下向き回りに開放自在に設けた一対のカバーと、
前記一対のカバーを閉鎖状態に保持し、火災による熱を受けて分解して閉鎖状態を解除する第１感熱部と、
前記本体内に設けられ消火薬液を収納した薬剤タンクと、
前記カバーの開放時に落下してレンジ直上に紐により吊り下げ保持されてレンジ上部及び周囲を覆うスカート状の耐熱シートと、
前記耐熱シートの下縁に装着された重りと、
前記耐熱シートの上部中央に配置された噴射ヘッドを閉鎖状態に保持し、火災による熱を受けて分解して前記噴射ヘッドを開放する第２感熱部と、
前記薬剤タンクと前記噴射ヘッドを連結して消火薬液を供給するフレキシブルチューブと、
を備えたことを特徴とする自動消火装置。
【請求項２】
請求項１記載の自動消火装置に於いて、前記固定部はマグネット部材であることを特徴とする自動消火装置。
【請求項３】
レンジ台の自動消火装置に於いて、
レンジ台の側方に配置された本体と、
前記本体に折り畳み状態で収納され、前記本体を起点に屋根状に展開してレンジ上に覆い被さる耐熱シートと、
前記耐熱シートに骨組み構造として埋込配置され、加圧消火薬剤の供給を受けて前記耐熱シートを屋根状に展開させるフレキシブルチューブと、
前記耐熱シートを屋根状に展開してレンジ上に覆い被せた際のレンジに相対したシート位置に配置された噴射ヘッドと、
前記噴射ヘッドを閉鎖状態に保持し、火災による熱を受けて分解して前記噴射ヘッドを開放する感熱部と、
消火薬剤を加圧充填した消火剤ボンベと、
火災時に作動して前記消火ボンベの加圧消火薬剤を前記フレキシブルチューブに供給する起動装置と、
を備えたことを特徴とする自動消火装置。
【発明の詳細な説明】
【技術分野】
【０００１】
本発明は、てんぷら油の加熱等によるレンジの油火災を消火するレンジ台の自動消火装置に関する。
【背景技術】
【０００２】
従来、住宅の台所に設置される家庭用レンジ台の自動消火装置としては、レンジ台付近に消火剤容器、感熱部及び放射部を設置した自動消火装置が知られている。
【０００３】
例えば特許文献１の消火装置付きレンジフードにあっては、レンジフード内に小型消火器と消火剤噴射装置を組み込んで配管で接続し、火災の熱によって可溶片の溶融により消火剤噴霧装置の噴出口を開いて消火剤を噴射させる。同時にレンジフードから耐火伸縮体を伸張させ、周囲に消火剤を飛散させないようにする。
【０００４】
また特許文献２の消火装置にあっては、ガスこんろの直上に配置される消火ユニット内に消火剤噴出ボンベと噴射ノズルを設けて配管接続し、火災センサーからの検知出力により消火ユニット下部の扉のロックを解除して開き、これによって噴射ノズルから消火剤を炎に向けて噴射するようにしている。また扉を開くことで仕切膜を垂下させて周りを囲み、その中に消火剤を噴射し、周囲への燃え移りを防止し、消火剤を周囲に飛散させないようにする。
【特許文献１】特開平１０−２４６４８２号公報
【特許文献２】特開平５−２００１２７号公報
【発明の開示】
【発明が解決しようとする課題】
【０００５】
しかしながら、このような従来の家庭用レンジ台の自動消火装置にあっては次のような問題がある。まず特許文献１の消火装置にあっては、小型消火器と消火剤噴射装置が別体であり、配管で接続され、レンジフード内に組み込む構造であり、構造が複雑であると同時に既存のレンジフードへの取付けが困難である。
【０００６】
また特許文献２の消火装置にあっては、消火ユニット内に消火剤噴出ボンベを収納しており、このような消火ユニットをレンジフードに取り付けた場合、通常のレンジの使用状態で調理による熱を受けて高温になる可能性があり、ボンベに悪影響を与える恐れがある。またレンジフードの部分は調理による油煙を受けるために環境条件が悪く、消火ユニットの扉内に噴射ノズルを配置していても、油煙を受けてノズルが詰まったような場合には消火剤の噴出に支障を来たす。
【０００７】
本発明は、取り付けが容易で、確実に消火が行えるレンジ台の自動消火装置を提供することを目的とする。
【課題を解決するための手段】
【０００８】
この目的を達成するため本発明は次のように構成する。
（第１発明）
第１発明としての本発明のレンジ台の自動消火装置は、下方に開口した箱型形状を有する本体と、本体をレンジフードに固定する固定部と、本体の開口部に外側を中心に下向き回りに開放自在に設けた一対のカバーと、一対のカバーを閉鎖状態に保持し、火災による熱を受けて分解して閉鎖状態を解除する第１感熱部と、本体内に設けられ消火薬液を収納した薬剤タンクと、カバーの開放時に落下してレンジ直上に紐により吊り下げ保持されてレンジ上部及び周囲を覆うスカート状の耐熱シートと、耐熱シートの下縁に装着された重りと、耐熱シートの上部中央に配置された噴射ヘッドを閉鎖状態に保持し、火災による熱を受けて分解して噴射ヘッドを開放する第２感熱部と、薬剤タンクと噴射ヘッドを連結して消火薬液を供給するフレキシブルチューブとを備えたことを特徴とする。ここで、固定部はマグネット部材である。
【０００９】
（第２発明）
第２発明としての本発明によるレンジ台の自動消火装置は、レンジ台の側方に配置された本体と、本体に折り畳み状態で収納され、本体を起点に屋根状に展開してレンジ上に覆い被さる耐熱シートと、耐熱シートに骨組み構造として埋込配置され、加圧消火薬剤の供給を受けて耐熱シートを屋根状に展開させるフレキシブルチューブと、耐熱シートを屋根状に展開してレンジ上に覆い被せた際のレンジに相対したシート位置に配置された噴射ヘッドと、噴射ヘッドを閉鎖状態に保持し、火災による熱を受けて分解して噴射ヘッドを開放する感熱部と、消火薬剤を加圧充填した消火剤ボンベと、火災時に作動して前記消火ボンベの加圧消火薬剤をフレキシブルチューブに供給する起動装置とを備えたことを特徴とする。
【発明の効果】
【００１０】
（第１発明）
本発明によれば、マグネット部材等の取付部により既設のレンジフードであっても簡単に取り付けることかできる。また消火剤として消火薬液を本体内のタンクに収納し、火災時の第１感熱部の熱分解によるカバーの開放でレンジ台に向けてスカート状の耐火シートを備えた重り部材を落下させてレンジ直上に紐で吊り下げ保持し、重り部材に設けた第２感熱部の熱分解で噴射ヘッドを開いてフレキシブルチューブによりタンクから自然流下で供給される消火薬液を油火災を起してる調理鍋に向けて直上から散布することで、短時間で確実に消火することができる。この場合、自然流下によるヘッドからの消火薬剤の散布であり、同時にスカート状の耐火シートで周囲を覆うているため、ボンベ充填の消火剤の噴霧のように周囲に消火剤は飛散することがない。
【００１１】
（第２発明）
本発明によれば、レンジ台の側方の例えば壁面の立ち上がり部分などに本体を配置すれば良いため、既存のレンジ台であっても簡単に設置でき、またレンジフードがなくとも簡単に設置できる。
【００１２】
また火災センサー又は手動スイッチ操作等による起動で消火剤ボンベから加圧消火剤が耐熱シートの骨組み構造として埋設されたフレキシブルチューブに供給されると、チューブの加圧伸展に伴って耐熱シートが屋根状に展開してレンジ上の油火災を起している調理鍋に覆い被さり、耐火シートのレンジに相対した位置のチューブ端部に設けた噴射ヘッドの感熱部が調理鍋からの炎を受けて熱分解し、噴射ヘッドから油火災を起している調理鍋の中に消火剤を噴射することとなり、少ない量の消火剤により短時間で確実に消火することができる。
【００１３】
また消火剤を充填したボンベはレンジ台の側方の熱や油煙を受けることのない位置に配置されており、レンジフードに取り付けた場合のようにボンベが高温になることによる問題は起きない。更に噴射ヘッドも通常はレンジ台側方に配置された本体内に耐熱シートの折り畳み状態で本体に収納されており、調理に伴う油煙を直接受けるという悪い環境条件であっても、ノズル詰まりの問題は起きない。
【発明を実施するための最良の形態】
【００１４】
図１は本願の第１発明による自動消火装置の実施形態を示した説明図である。図１において、本発明の自動消火装置１は、下方に開口した箱型形状を有する本体２を備え、本体上部の背後となる部分に固定部を構成するマグネット部材５を配置し、マグネット部材５によりレンジフード４のレンジフード下向き面４ａに吸着固定している。ここでマグネット部材５としては、耐熱性の高いコバルト磁石を使用すればよい。
【００１５】
本体２の下側の開口部には、両側をスプリング付蝶番７により軸止して、外側に向けて下向きに開放自在な一対のカバー６を装着している。カバー６は図示の閉鎖状態で下部中央に設けられた第１感熱部８により、閉鎖状態に保持されている。
【００１６】
第１感熱部８は一対のカバー６の一方の固定部材に対し他方の固定部材を集熱板の部分でハンダにより固定しており、火災による熱を受けると、ハンダが溶けて第１感熱部８が熱分解し、カバー６はカバー６ａに示すように、スプリング付蝶番７の力により外側に開放する。
【００１７】
本体２の内部上方には薬剤タンク９が設けられており、薬剤タンク９には強化液として知られた消火薬液を収納している。薬剤タンク９の上部には逆止弁１０が設けられ、また下部の薬液取出側にも逆止弁１１が設けられている。上部の逆止弁１０は、タンク内から外部への液の流れを阻止し、逆に外部からタンク内への液の流れを許容する構造であり、逆止弁１０を介して薬剤タンク９に消火薬液を注入することができる。逆止弁１１は、タンクから外部に出る方向に液を流し、逆方向の流れは阻止する構造となる。
【００１８】
逆止弁１１の出口ポートとなる接続口に対しては、本体２の中にリング状に巻き回して収納しているフレキシブルチューブ１２の上端が連結される。フレキシブルチューブ１２とカバー６の間には耐熱シート１５が折り畳み状態で収納されている。耐熱シート１５は、カバー６を落下した状態でレンジ台の直上でカバー６ａのように開いてスカート状に広がり、本体２に対しては紐により吊り下げ保持される。
【００１９】
この耐熱シート１５の展開状態で、上部中央には噴射ヘッド１３が設けられており、噴射ヘッド１３の下側には第２感熱部１４が設けられている。噴射ヘッド１３に対しては、一端を逆止弁１１を介して薬剤タンク９に連結したフレキシブルチューブ１２の他端が連結されている。更に、耐熱シート１５がカバー６の開放により落下してレンジ台の直上でスカート状に展開させるため、スカート状となった耐熱シートの下縁部の周囲に位置するように重り１６が設けられ、この重りが耐熱シート１５と共に本体２内に収納されている。
【００２０】
図２は図１の自動消火装置の作動状態を示した説明図である。図２において、本発明の自動消火装置１は、レンジ台１８の上部に設置しているレンジフード４のレンジフード下向き面にマグネット部材５で吸着固定され、固定位置としては例えば常時使っているレンジ台１８のレンジ１９ａに向かい合う位置としている。
【００２１】
このような自動消火装置１の設置状態でレンジ台１８の調理鍋２０をレンジ１９ａに乗せて油の使用による調理を行っている際に油が過熱して着火すると、調理鍋２０から炎２１が上がり、炎２１の熱を受けて図１の状態においてカバー６の下部に突出して設けている第１感熱部８が作動し、図２に示すようにスプリング付蝶番７のスプリングの力によりカバー６を両側に開放する。カバー６の開放状態にあっては、第１感熱部８の一方の支持部材８ａと他方の支持部材８ｂがハンダの溶融により分離して、対応するカバー６側に残っている。
【００２２】
カバー６が開放されると、図１のように、カバー６内に収納されていたフレキシブルチューブ１２、耐熱シート１５及び重り１６が落下し、耐熱シート１５の先端周辺に設けている重り１６は油火災を起こした調理鍋２０の周囲に落下し、耐熱シート１５はスカート状の形状を持ち、上部については紐１７により本体２に吊り下げられ、同時にフレキシブルチューブ１２によっても吊り下げられた状態となり、噴射ヘッド１３がレンジ台１８の直上となる油火災を起こした調理鍋２０のすぐ上に吊り下げ保持される。このレンジ台１８に対する耐熱シート１５の展開状態は、図３に取り出して示している。
【００２３】
図３において、耐熱シート１５は下方に開口し、周囲及び上部をシート材料で縫い合わせてスカート状とした形状を持っており、更にスカート状の形状の上部４箇所を紐１７により本体２に連結して、紐の長さを噴射ヘッド１３がレンジ台１８の直上に位置するような長さとしておくことで、カバー６の展開により落下すると、重り１６と紐１７とによって、耐熱シート１５がレンジ台１８の油火災を起こしている調理鍋の周りを囲むように展開することになる。
【００２４】
再び図２を参照するに、油火災を起こした調理鍋２０に対し耐熱シート１５が落下保持により展開して周囲を覆った状態で第２感熱部１４が炎２１の直上に位置し、このため第２感熱部１４は炎２１の熱を受けてハンダが溶融し、噴射ヘッド１３を開放状態とする。第２感熱部１４の作動で噴射ヘッド１３が開放状態となると、フレキシブルチューブ１２を通って本体２内の薬剤タンク９から消火薬液が自然流下により流れ、噴射ヘッド１３から調理鍋２０に対し直接、消火薬液を散布する。
【００２５】
このため油火災を起こしている調理鍋２０内には噴射ヘッド１３から散布された消火薬液が充満し、油表面をほぼ完全に覆うことで炎２１を抑制して確実に消火することができる。
【００２６】
また、耐熱シート１５の落下保持による吊り下げ展開で調理鍋２０の周囲を耐熱シート１５で覆って炎２１を包み込むことで、周囲からの空気の流入を抑えて燃焼を抑制し、また炎２１が外部に燃え広がることを防ぐと同時に、噴射ヘッド１３から消火薬液を散布した際の周囲への飛散を防止する。
【００２７】
なお図１の自動消火装置１で使用している耐熱シート１５としては、耐熱シート以外に難燃性シートや防炎シートなど適宜の燃えにくいシート材料を使用すればよい。また図１の実施形態にあっては、レンジフードに対しマグネット部材により取り付けるようにしているが、マグネット部材以外の適宜の取付け、取外しが容易な取付け構造を使用することができる。例えばレンジフード４のレンジフード下向き面４ａの周囲に張出しを持つ構造のレンジフードについては、軸方向に伸縮して伸縮位置を保持できるフレキシブルパイプを使用して自動消火装置１をレンジフードに取り付けるようにしてもよい。
【００２８】
図４は本願の第２発明により自動消火装置の実施形態を示した説明図であり、図４（Ａ）が平面図、図４（Ｂ）が正面図である。図４において、第２発明による本発明の自動消火装置２４は、レンジ台１８の側方位置、この実施形態にあっては例えばレンジ台１８を設置している側方の壁面２２のレンジ台１８の上部付近に設置される。
【００２９】
自動消火装置２４は内部に畳み込まれた耐熱シート２５を収納している。耐熱シート２５は、起動ユニット２８に設けている消火剤ボンベからの加圧消火剤の供給を受けて、図５に示すような屋形形状に展開する。
【００３０】
図５は図４の耐熱シート２５の展開状態の説明図であり、図５（Ａ）が平面図、図５（Ｂ）が正面図である。図５において耐熱シート２５は、展開状態で明らかなように、加圧消火剤の供給を受けるフレキシブルチューブ２７を、耐熱シート２５を折り畳み状態から展開させるための骨組み構造として埋設している。
【００３１】
即ちフレキシブルチューブ２７は、加圧消火剤の供給側から骨組みチューブ２７ａで横辺の骨組みを作り、続いて斜めに組み込まれた骨組みチューブ２７ｂで屋根の稜線部分の骨組みを形成した後、円弧状の骨組みチューブ２７ｃによって屋根の稜線を形成した後、再び反対側に下りて骨組みチューブ２７ｄで屋根の稜線を作り、続いて横方向に骨組みチューブ２７ｅを埋め込んで屋根の縁を形成した後、円弧状の骨組みチューブ２７ｆによって反対側の屋根の稜線を作り、その後、骨組みチューブ２７ｇで下側の屋根の縁を形成している。そして骨組みチューブ２７ｇから内側に分岐チューブ２７ｈ、２７ｉ、２７ｊを埋め込み、それぞれの先端に感熱部を備えた噴射ヘッド３６ａ、３６ｂ、３６ｃを設けている。
【００３２】
このような図５の耐熱シート２５にあっては、フレキシブルチューブ２７ａに加圧消火薬剤の供給のない場合にはフレキシブルチューブ２７は骨組みとしての機能は持たず、小さく折り畳んで、図４のように自動消火装置２４内に収納されている。
【００３３】
図６は図４の起動ユニット２８の説明図である。図６（Ａ）は起動ユニット２８の非作動状態の説明図である。図６（Ａ）において起動ユニット２８には、バルブ３２を一体に備えた消火剤ボンベ２６とソレノイド２９が設けられる。ソレノイド２９の作動ピン及び消火剤ボンベ２６のバルブ３２側には、軸３１を中心にレバー３０が回動自在に設けられ、レバー３０の一端をソレノイド２９のソレノイドピンに連結し、他方をバルブ３２に対し出没自在に設けたピン３３に対し当接させている。消火ボンベ２６に設けたバルブ３２の出口ポートには、フレキシブルチューブ２７が連結される。
【００３４】
図６（Ｂ）は起動ユニット２８の作動状態の説明図である。起動ユニット２８のソレノイド２９は火災感知器からの火災検知信号により駆動され、ソレノイドピンを押し出し、レバー３０を軸３１を中心に左回りに回動させる。このためレバー３０の下側がピン３３を押し込み、これによりバルブ３２が開放し、消火剤ボンベ２６に充填している加圧消火剤がバルブ３２を通ってフレキシブルチューブ２７に供給される。
【００３５】
再び図４を参照するに、自動消火装置２４に設けている起動ユニット２８に対しては、この実施形態にあっては、レンジ台１８の上部に設置した火災感知器２３からの火災検知信号が入力されており、火災検知信号により図６に示した起動ユニット２８のソレノイド２９を駆動して、消火剤ボンベから加圧消火剤をフレキシブルチューブ２７に供給するようにしている。
【００３６】
次に図４の自動消火装置２４の動作を説明する。いま図４に示すように、レンジ台１８のレンジ１９ａを使用して調理鍋３４により油を使用した調理を行っており、油が過熱して着火し、炎３５が上がったとする。この炎３５による熱を受けて火災感知器２３が火災発報し、火災検知信号を自動消火装置２４に出力する。
【００３７】
火災検知信号を受けた自動消火装置２４は、図６（Ｂ）に示したようにソレノイド２９を作動し、消火ボンベ２６のバルブ３２を開いてフレキシブルチューブ２７に消火剤ボンベ２６から加圧消火剤を供給する。
【００３８】
図７は自動消火装置２４の起動直後の説明図である。この起動直後にあっては、自動消火装置２４に折り畳み状態で収納されている耐熱シート２５に骨組みとして埋め込まれたフレキシブルチューブの入口側に加圧消火用水が供給されることで、図５（Ａ）のフレキシブルチューブ２７における入口側の骨組みチューブ２７ａ、２７ｂ側から圧力が上昇して、折り畳み状態にある耐熱シート２５を展開し始める。
【００３９】
図８は、図７に続いて耐熱シートを展開した説明図であり、図５の入口側の骨組みチューブ２７ａから先端の骨組みチューブ２７ｇ、更には分岐チューブ２７ｈ〜２７ｊに加圧消火薬剤が充満することで、耐熱シート２５は斜め上方に向けて大きく屋根型に展開する。
【００４０】
続いて図９に示すように、斜め上方に展開した耐熱シート２５は片側が自動消火装置２４側に支持されていることから、そのまま先端側が自重により炎３５が上がっている調理鍋３４に覆い被さるように下がり、調理鍋３４を含むレンジ台１８の上部を覆う。
【００４１】
ここで、展開した耐熱シート２５には、図５（Ａ）に示したように、レンジ台１８の３つのレンジ１９ａ〜１９ｃに対応した位置に、分岐チューブ２７ｈ〜２７ｊによって連結された感熱部を備えた噴射ヘッド３６ａ〜３６ｃを設けており、図９の状態では、レンジ１９ａに乗せている火災を起こしている調理鍋３４の炎３５を受ける位置に図５の感熱部を備えた噴射ヘッド３６ａが位置する。
【００４２】
このため感熱部が炎３５による熱を受けて、ハンダ等の可溶金属の溶融により熱分解して噴射ヘッド３６ａを開放し、このためフレキシブルチューブ２７を通って消火剤ボンベ２６からの加圧消火剤が、作動した噴射ヘッド３６ａから炎３５を上げている調理鍋３４に向けて直接噴射され、調理鍋３４の火災を、少ない消火薬剤の噴射量で短時間に確実に消火することができる。
【００４３】
ここで第２発明の自動消火装置２４は消火剤ボンベ２６を使用しているが、消火剤ボンベ２６を備えた起動ユニット２８を含む自動消火装置２４は、レンジ台１８の側方の例えば壁面などに配置されており、このためレンジ台１８を使用した調理の際の熱を直接受けることがなく、レンジフードに消火剤ボンベを備えた消火装置を設けた場合の熱による消火剤ボンベの問題を解消することができる。
【００４４】
また消火剤を噴射する噴射ヘッドについても、通常は折り畳み状態にある耐熱シート２５の中に配置されているため、レンジ台１８における調理の熱や油煙などを受けることはなく、噴射ノズルが長い間使っているうちに油煙を受けて詰まるような問題も全く起きない。
【００４５】
なお図４の実施形態にあっては、自動消火装置２４の起動を火災感知器２３からの火災検知信号で行うようにしているが、押しボタンスイッチなどを設けて手動起動ができるようにしてもよい。また、ソレノイド２９による消火剤ボンベ２６のバルブ開放動作以外に、手動操作で直接、消火剤ボンベ２６のバルブを開くようにしてもよい。
【００４６】
更に、本願の第１発明及び第２発明のいずれについても、その目的と利点を損なうことのない適宜の変形を含み、更に上記の実施形態に示した数値による限定は受けない。
【図面の簡単な説明】
【００４７】
【図１】本願の第１発明による自動消火装置の実施形態を断面で示した説明図
【図２】図１の自動消火装直の作動状態を示した説明図
【図３】図２における耐熱シートの展開状態の説明図
【図４】本願の第２発明による自動消火装置の実施形態を示した説明図
【図５】図４の耐熱シートの展開状態の説明図
【図６】図４の起動ユニットの説明図
【図７】図４の自動消火装置の起動直後の説明図
【図８】図７に続いて耐熱シートを展開した説明図
【図９】図８に続いて展開した耐熱シートでレンジ台を覆った説明図
【符号の説明】
【００４８】
１、２４：自動消火装置
２：本体
４：レンジフード
４ａ：レンジフード下向き面
５：マグネット部材
６：カバー
７：スプリング付蝶番
８：第１感熱部
９：薬剤タンク
１０、１１：逆止弁
１２、２７：フレキシブルチューブ
１３、３６ａ〜３６ｃ：噴射ヘッド
１４：第２感熱部
１５、２５：耐熱シート
１６：重り
１７：紐
１８：レンジ台
１９ａ〜１９ｃ：レンジ
２０、３４：調理鍋
２１、３５：炎
２３：火災感知器
２６：消火剤ボンベ
２７ａ〜２７ｇ：骨組みチューブ
２７ｈ〜２７ｊ：分岐チューブ
２８：起動ユニット
２９：ソレノイド
３０：レバー
３１：軸
３２：バルブ
３３：ピン
【図１】
2006198229.tif 000003
【図２】
2006198229.tif 000004
【図３】
2006198229.tif 000005
【図４】
2006198229.tif 000006
【図５】
2006198229.tif 000007
【図６】
2006198229.tif 000008
【図７】
2006198229.tif 000009
【図８】
2006198229.tif 000010
【図９】
2006198229.tif 000011